(57)【要約】  本発明は、データ領域（７）と開始領域（２５）とを有し、コンテンツを記憶した主チャネル、およびアドレス情報と記録を行うための関連データとを記憶した副チャネルを含む記録担体に関するものである。本発明はさらに、記録担体上に記憶されたコンテンツを保護する方法ならびに装置、および保護されたコンテンツを読み出す方法ならびに装置にも関するものである。混乱をきたすことなく従来型の装置と共に使用することができ、実質的に追加の製造工程なしに製造することができ、かつ一般的な装置によって容易に読み出すことができるような、コンテンツ保護情報（２０、２２、２４、２６、２８）を、記録担体上に記憶して与えるために、コンテンツの保護のためのコンテンツ保護情報（２０、２２、２４、２６、２８）を、データ領域（７）内の副チャネル中に記憶することが提案される。
2007513452.tif 000002
【特許請求の範囲】
【請求項１】
データ領域と開始領域とを有し、コンテンツを記憶した主チャネル、およびアドレス情報と記録を行うための関連データとを記憶した副チャネルを含む記録担体であって、
前記コンテンツの保護のためのコンテンツ保護情報が、前記データ領域内の前記副チャネル中に記憶されていることを特徴とする記録担体。
【請求項２】
前記コンテンツ保護情報が、キーブロックを含んでいることを特徴とする請求項１記載の記録担体。
【請求項３】
前記コンテンツ保護情報が、前記開始領域内に記憶されたキーブロックの記憶位置を指す参照子、とりわけポインタを含んでいることを特徴とする請求項１記載の記録担体。
【請求項４】
前記コンテンツ保護情報が、前記開始領域内に記憶された前記キーブロックのバックアップの記憶位置を指す参照子、とりわけポインタを含んでいることを特徴とする請求項２記載の記録担体。
【請求項５】
前記コンテンツ保護情報が、前記アドレス情報の一部として記憶されていることを特徴とする請求項１記載の記録担体。
【請求項６】
当該記録担体が、ＤＶＤ＋Ｒ型ディスクまたはＤＶＤ＋ＲＷ型ディスクであり、前記副チャネルが、ＡＤＩＰ副チャネルであることを特徴とする請求項１記載の記録担体。
【請求項７】
当該記録担体が、ＤＶＤ−Ｒ型ディスクまたはＤＶＤ−ＲＷ型ディスクであり、前記副チャネルが、ＬＰＰ副チャネルであることを特徴とする請求項１記載の記録担体。
【請求項８】
当該記録担体がＤＶＤであり、前記コンテンツ保護情報のコピーが、バッファ領域２内に記憶されていることを特徴とする請求項１記載の記録担体。
【請求項９】
データ領域と開始領域とを有し、コンテンツを記憶した主チャネル、およびアドレス情報と記録を行うための関連データとを記憶した副チャネルを含む記録担体上に記憶された、コンテンツを保護する方法であって、
前記コンテンツの保護のためのコンテンツ保護情報が、前記データ領域内の前記副チャネル中に記憶され、該コンテンツの保護のために使用されることを特徴とする方法。
【請求項１０】
データ領域と開始領域とを有し、コンテンツを記憶した主チャネル、およびアドレス情報と記録を行うための関連データとを記憶した副チャネルを含む記録担体上に記憶された、コンテンツを保護する装置であって、
前記データ領域内の前記副チャネル中に記憶されているコンテンツ保護情報を、前記コンテンツの保護のために用いる手段を含むことを特徴とする装置。
【請求項１１】
データ領域と開始領域とを有し、コンテンツを記憶した主チャネル、およびアドレス情報と記録を行うための関連データとを記憶した副チャネルを含む記録担体上に記憶された、保護されたコンテンツを読み出す装置であって、
前記保護されたコンテンツを読み出す手段と、
前記データ領域内の前記副チャネル中に記憶されている、前記コンテンツの保護のためのコンテンツ保護情報を読み取る手段と、
前記コンテンツ保護情報を用いて、前記コンテンツを解読する手段とを含むことを特徴とする装置。
【請求項１２】
データ領域と開始領域とを有し、コンテンツを記憶した主チャネル、およびアドレス情報と記録を行うための関連データとを記憶した副チャネルを含む記録担体上に記憶された、保護されたコンテンツを読み出す方法であって、
前記保護されたコンテンツを読み出す工程と、
前記データ領域内の前記副チャネル中に記憶されている、前記コンテンツの保護のためのコンテンツ保護情報を読み取る工程と、
前記コンテンツ保護情報を用いて、前記コンテンツを解読する工程とを含むことを特徴とする方法。
【請求項１３】
コンピュータ上で実行された際に、該コンピュータに請求項９または１２記載の方法の各工程を行わせるコンピュータプログラムコードを含むことを特徴とするコンピュータプログラム。
【発明の詳細な説明】
【技術分野】
【０００１】
本発明は、データ領域と開始領域とを有し、コンテンツを記憶した主チャネル、およびアドレス情報と記録を行うための関連データとを記憶した副チャネルを含む記録担体に関するものである。本発明はさらに、記録担体上に記憶されたコンテンツを保護する方法ならびに装置、および保護されたコンテンツを読み出す方法ならびに装置にも関するものである。本発明はさらに、キーブロックに基づくコピー防止システムで用いるため、空の記録可能型媒体を通じてキーブロックを頒布する方法、かかるキーブロックを含む記録担体、そのような記録担体の読出しを行う装置、およびそのようなキーブロックを採用したコピー防止システムにも関するものである。
【背景技術】
【０００２】
特定の厳格な条件（たとえば１回のみコピー可能な材料）の下でのみ記録可能型媒体へのコピーが可能なコンテンツ、またはいわゆる放送フラグにより保護されている放送コンテンツを保護するための、近年のシステムは、ほとんどすべて、いわゆるキーブロック（ｋｅｙ  ｂｌｏｃｋ；ＫＢ）に基づいたシステムである。かかるシステムの例としては、ＤＶＤ−ＲＷ、ＤＶＤ−Ｒ、ＤＶＤ−ＲＡＭ用のＣＰＲＭ（Ｃｏｐｙ  Ｐｒｏｔｅｃｔｉｏｎ  ｆｏｒ  Ｒｅｃｏｒｄａｂｌｅ  Ｍｅｄｉａ；記録可能型媒体のためのコピー防止）システム、および予め記録された媒体のためのＣＰＰＭ（Ｃｏｐｙ  Ｐｒｏｔｅｃｔｉｏｎ  ｆｏｒ  Ｐｒｅｒｅｃｏｒｄｅｄ  Ｍｅｄｉａ；予め記録された媒体のためのコピー防止）システムが挙げられる（http://www.4centity.org参照）。
【０００３】
キーブロック（ＫＢ）は、本質的には、規約に違反する再生装置または記録装置が動作できないようにする目的で、空のＲ型媒体またはＲＷ型媒体上に配されている、暗号情報の表である。この目的のため、このコンテンツ保護システムをサポートするすべての再生装置および記録装置には、製造時においてその装置固有の装置キーの組（それぞれの装置が固有のキーの組を有する）が付与され、これらの装置は、共通ルートキーＫｒｏｏｔ（ｃｏｍｍｏｎ  ｒｏｏｔ  ｋｅｙ；メディアキーＫｍと呼ばれることもある）を取得するため、自己の装置キーを用いてＫＢを処理する。ＫＢは、すべての正規の装置は確かに同一のルートキーを算出するが、規約に違反するすべての装置（システムから排除される装置）は何らかの他の値を得ることとなるよう設定される。ＫＢが一部をなすコピー防止システムの規格は、コンテンツがその後ルートキーを用いて暗号化（記録装置の場合）または解読（再生装置の場合）されることを要求しているので、上記のような構成は、これらの媒体に対して、規約に違反する装置を役に立たないものとする。
【発明の開示】
【発明が解決しようとする課題】
【０００４】
これらのコピー防止システムの設計における普遍的な課題は、空の媒体上へのＫＢの記憶のための手筈を整えることである。キーブロックは、非常に大きなサイズ（数百キロバイトから数メガバイトまで）となり得る。このキーブロックの記憶は、以下のような課題をもたらす。
−  その潜在的なサイズのため、ＫＢの隠蔽は困難である。ＫＢが隠蔽されていないと、ＫＢを採用したコピー防止システムをサポートしていない従来型の記録装置／再生装置において問題が生じる可能性があるため、ＫＢの隠蔽は重要である。すなわち、従来型の装置は、データがないと装置が想定する個所または他のデータが存在すると装置が想定する個所に、ＫＢデータが存在することにより、混乱をきたすかもしれない。また、従来型の装置は、誤ってＫＢを消去または上書きしてしまうかもしれず、そうすると、その媒体は、かかるＫＢを必要とするその後の保護された記録には役に立たなくなってしまう。
−  媒体上にＫＢを書き込むことは、媒体の製造業者にとっては、追加の製造工程が生じることを示唆する。たとえば、予め書込みを行うには追加の記録装置が必要となり、予めエンボス形成するには追加の複雑なエッチング工程が必要となる。コンテンツの圧倒的多数は未だ保護されていない状態にあることに鑑みると、製造業者にとっては、空の媒体にＫＢを追加することへのインセンティブはほとんどない。
−  ＫＢの記憶は、現行の記録装置／再生装置内に既存のものでない新たな検出回路構成を必要としないことが好ましい。すなわち、ＫＢは、ファームウェアの簡単な変更により読取可能とされるべきである。好ましくない例としては、たとえば、ＢＤ−ＲＥ上のＫＢの記憶領域が、他の目的に何ら使用されない特殊な種類のウォブル検出器を必要とする場合が挙げられる。
【０００５】
ＣＰＲＭ等の、現行技術におけるいくつかの例は、これらの問題を抱えるＫＢ記憶方法を用いている。
【０００６】
本発明の１つの目的は、コンテンツ保護情報が記憶された記録担体であって、従来型の装置において混乱をきたすことなく使用することができ、記録担体の一般的な製造方法と比較して実質的に追加の製造工程を必要とせずに製造することができ、かつ一般的な装置により容易に読出しができるような記録担体を提供すること、および記録担体上に記憶されたコンテンツを保護する方法ならびに装置と保護されたコンテンツを読み出す方法ならびに装置とを提供することである。
【課題を解決するための手段】
【０００７】
この目的を達成するため、本発明に係る記録担体は、コンテンツの保護のためのコンテンツ保護情報が、データ領域内の副チャネル中に記憶されていることを特徴とする。
【０００８】
本発明は、副チャネル中には、将来の拡張のため確保されている、現在は使用されていない記憶スペースが存在し、そのスペースをコンテンツ保護情報の記憶に利用することができるという思想に基づくものである。多くのタイプの空の媒体は、記録を行うための関連情報を記憶する、比較的低いデータレートのチャネルを既に与えられている。たとえば、ＤＶＤ＋Ｒ＼Ｗ媒体上におけるＡＤＩＰ（Ａｄｒｅｓｓ  ｉｎ  Ｐｒｅｇｒｏｏｖｅ；アドレス・イン・プリグルーブ）は、アドレス情報と、この特定の媒体用の物理的な記録プロセスを支援するためのパラメータ（リードイン領域内にのみ；レーザーパワー、ライトストラテジ、ディスク製造業者等）とを含む、高周波位相変調ウォブルである。同様に、ＢＤ−ＲＥおよびＢＤ−Ｒも、変調されたプリグルーブを含む。ＤＶＤ−ＲおよびＤＶＤ−ＲＷディスクは、この種の情報を担持する凸状部等のスリーパーである、ＬＰＰ（Ｌａｎｄ  ＰｒｅＰｉｔｓ；ランド・プリピット）を有する。最後に、ＤＶＤ−ＲＡＭは、上記と同じ目的を有する、予めエンボス形成されたリードイン領域およびセクタヘッダを有する。
【０００９】
アドレス情報とディスク特有のパラメータとを記憶するためのこれらの低データレートチャネルは、通常、将来の拡張のために確保されたスペースを有する。本発明によれば、このスペースが、コンテンツ保護情報（たとえばＫＢ）の記憶に利用される。
【００１０】
媒体の製造業者は、どのみちこの副チャネルを作らなくてはならないので、（正しいＫＢデータを副チャネルに付与するためのフォーマッタを除いて、）コストの上昇はほとんど生じない。より具体的には、コンテンツ保護情報（たとえばＫＢ）を、データ領域内の副チャネル中に配することが提案される。ここで、データ領域とは、ユーザーが情報を記憶するために利用可能なディスク上の部分であり、一方、リードイン領域およびリードアウト領域は、管理上の目的のため記録装置および再生装置に対してのみ利用可能とされている。ＫＢをデータ領域内に記憶することの利点は、記録装置／再生装置は通常、リードイン内の副チャネルからの情報のみを必要とするため（レーザーの較正等のため）、
−  リードイン領域内の副チャネル中にいくらかのスペースを必要とするような将来の規格拡張（たとえば二層ＤＶＤ＋Ｒ）を、ＫＢデータが妨害することがなく、
−  従来型の記録装置は、データ領域内の副チャネル中の確保されたスペースを読み出すことすらしないため、混乱が生じず、
−  副チャネルは、Ｒ／ＲＷディスク上でもＲＯＭ様の特徴を有するので、従来型の記録装置が、この副チャネルを誤って消去／上書きしてしまうおそれがないという点である。
【００１１】
本発明に係る記録担体の１つの実施形態では、記録担体は、ＤＶＤ＋Ｒ型ディスクまたはＤＶＤ＋ＲＷ型ディスクであり、副チャネルが、ＡＤＩＰ副チャネルとされる。すなわち、好ましくは、データ領域内のＡＤＩＰが、コンテンツ保護システムに必要なキーブロックを記憶する場所として用いられる。
【００１２】
本発明に係る記録担体の別の実施形態では、記録担体は、ＤＶＤ−Ｒ型ディスクまたはＤＶＤ−ＲＷ型ディスクであり、副チャネルが、ＬＰＰ副チャネルとされる。すなわち、ＫＢは、ＬＰＰ内に記憶される。
【００１３】
上記で述べた解決策は、比較的小サイズのＫＢに対しては良好に機能する。しかしながら、コピー防止システムの寿命期間に亘っては、ＫＢが極めて大きなサイズに膨らむこともあり得る。その場合、ＡＤＩＰのような低データレートの副チャネルは、限られたスペースしか有さないかもしれず、あるいは記録開始前の取出しに時間がかかりすぎるかもしれないので、便利でない。たとえば、ＤＶＤ＋Ｒ＼Ｗ上では、ＡＤＩＰは約５００キロバイトを記憶することができるが、上記のようなＫＢを記憶するためにディスク全体のＡＤＩＰを使い切ると、通常の書込速度の場合、読出しを行うのに約１時間かかる。変更形態として、ＫＢのサイズが大きい場合には、本発明は、媒体製造業者が、ＤＶＤ＋ＲＷおよびＤＶＤ＋Ｒ上のいわゆる開始領域に、通常のＥＦＭＰデータとして、ＫＢを予め書き込むということに関するものである。したがって、本発明に係る記録担体の１つの好ましい実施形態は、コンテンツ保護情報が、上記の開始領域内に記憶されたキーブロックの記憶位置を指す参照子、とりわけポインタを含んでいることを特徴とする。
【００１４】
ここで、ＫＢの記憶用に、リードイン領域内の現在使用されていない他の場所（たとえば制御データ領域内のいくつかのセクタ）が選択されてもよい点に留意されたい。そのような、好適さは劣るが候補ではある領域のリストは、ガード領域１、２ならびに３、確保領域（Ｒｅｓｅｒｖｅｄ  Ｚｏｎｅ）１、２ならびに３、バッファ領域１、２ならびに３、ガード、および確保領域４（ＤＶＤ＋ＲＷのみ）である。ＤＶＤ＋Ｒ＼Ｗについては、やはり開始領域が好ましいが、候補としては、開始領域、およびバッファ領域１ならびに２が存在する。
【００１５】
ここで、記憶場所としての開始領域もまた、全く問題がないわけではない点に留意されたい。この領域は、ディスクの書込可能な材料が存在する部分の、ごく内径側に配されている。現行のディスク製造プロセスのため、ごく内径側および外径側のディスク端における材料の品質は、それらのディスク端から離れた個所ほどは信頼性が高くない。そのため、ＫＢは、可能な限り開始領域の終わり近くに書き込まれることが好ましいが、その場合、ＫＢの開始位置がＫＢの長さに依存することとなり、その数値は当初記録装置には分からない。そのため、本発明に係る方法によれば、ディスク上の安全な場所に記憶されたポインタを導入することが提案される。このポインタは、開始領域内（または他の領域内）における、ＫＢの精確な開始位置を示す。記録装置はどのみちＡＤＩＰを読み出す必要があるので、このポインタは、ＡＤＩＰ内に書き込まれることが好ましい。このことは、キーブロックを、そのキーブロックが適合すると思われる場所に記憶するというフレキシビリティを、ディスク製造業者に与える。
【００１６】
ある特定の実施形態では、ポインタの値＝０を用いて、開始領域内にはＫＢが存在しないが、ＡＤＩＰ内のＫＢが用いられなくてはならないことを指示することができる。
【００１７】
本発明に係る記録担体の別の好ましい実施形態は、コンテンツ保護情報が、開始領域内に記憶されたキーブロックのバックアップの記憶位置を指す参照子、とりわけポインタを含んでいることを特徴とする。比較的短いＫＢについても、所与のＫＢをＡＤＩＰのような低速の副チャネル（安価）内に配するのみならず、ＫＢのコピーを開始領域内にも記憶する（製造時において追加の書込工程）ことにより、ディスク製造業者は、競争上の優位な立場を得ることができる。かかるディスクでは、より高い価格タグが付される代わりに、開始領域からのＫＢを用いるというオプションを記録装置が有することとなるので、より速い起動時間を提供する。加えて、この形態では、何らかの理由によりＡＤＩＰ内または開始領域内のＫＢが読出不能となった場合にも、代わりのバックアップが存在するので、より高いロバスト性が提供される。そのようなＫＢの追加コピーの存在は、上記で説明したようなポインタを介して示されてもよい。
【００１８】
本発明に係る記録担体のさらに別の実施形態は、記録担体がＤＶＤであり、コンテンツ保護情報のコピーがバッファ領域２内に記憶されていることを特徴とする。ＡＤＩＰのような低速の副チャネルと開始領域とはいずれも、記録装置に対してＫＢを頒布するための便利な方法である。しかしながら、再生装置は、一般的に、記録装置特有の副チャネルから、または開始領域のようなメンテナンス領域から読出しを行うための設備を要求しない、より限られた機能しか有さない。換言すると、記録装置は、上記の２つの場所にあるＫＢの読出しおよび処理を行うことができるが、再生装置は、（たとえばＡＤＩＰにアクセスするための）追加の電子回路、または機械的に設計し直されたＯＰＵ（光ピックアップユニット：レーザー等を含むスレッジであって、再生装置内において、開始領域に到達する前にディスクモーターにぶつかる）がなければ、そのような読出しおよび処理を行うことはできない。
【００１９】
この問題を回避するために、記録装置が、ＡＤＩＰまたは開始領域（いずれでもＫＢが存在する方）から、バッファ領域２内へと、ＫＢを通常のＥＦＭＰデータとしてコピーすること（まだかかるコピーがなされていない場合に）が提案される。現在のところ他の目的には使用されていないバッファ領域２には、あらゆる再生装置がアクセスすることができる。加えて、バッファ領域２は、そこにデータが既に書き込まれていれば、従来型の記録装置が（誤って）そのデータを上書きすることはなく、かつ、バッファ領域２に既に書き込まれているデータによって従来型の記録装置が混乱をきたすこともないという利点を有する。ここで、１つの例外は、開始領域および当然であるがＡＤＩＰを除いて、ディスクのほとんどの内容を消去するディスク初期化コマンドの場合である点に留意されたい。その場合、ディスクに書込みを行う次の記録装置が、ＫＢをバッファ領域２内に再記憶することができる。
【００２０】
記録担体上のコンテンツを保護する方法ならびに装置、および保護されたコンテンツを読み出す方法ならびに装置は、請求項９から１２に規定されている。コンピュータ上で実行された際に、そのコンピュータに請求項９または１２記載の方法の各工程を行わせるコンピュータプログラムコードを含むコンピュータプログラムは、請求項１３に規定されている。
【発明を実施するための最良の形態】
【００２１】
以下、本発明の記録担体、記録担体上のコンテンツを保護する装置、および保護されたコンテンツを読み出す装置の実施形態を、図面を参照しながらさらに詳細に説明する。
【００２２】
図１は、典型的なＤＶＤ＋ＲまたはＤＶＤ＋ＲＷ型記録担体のレイアウトを示した模式図である。記録担体（図示せず）の情報領域１は、記録担体の内径側から外径側へと向かって、内側ドライブ領域３、リードイン領域５、データ領域７、リードアウト領域９、および外側ドライブ領域１１をこの順序で含む。位置半径が増大するにつれて、セクタ番号も増大する。データ領域７は、点線で示すように、物理セクタ番号＄０３００００から開始する。
【００２３】
図２は、図１に示したような種々の領域を含む、ＤＶＤ＋Ｒ型記録担体のレイアウトを示している。これらの領域は、図２において説明、公称半径、セクタ番号および物理セクタ数を示してより詳細に説明されている、さらなる領域を含んでいる。本発明に関係する領域は、開始領域、バッファ領域２、およびデータ領域である。
【００２４】
図３は、図２に対応する、ＤＶＤ＋ＲＷ型記録担体のレイアウトを示している。
【００２５】
図４ａから４ｄは、本発明に従う記録担体の好ましい実施形態を示している。図４ａは、データ領域７に記憶されたコンテンツ保護情報２０（すなわちこの例ではキーブロック）を示している。キーブロック２０がデータ領域７の副チャネル中に記憶されていることは、ここでは図示されていない。副チャネルの確保された部分中にコンテンツ保護情報が記憶されている場合には、本発明に準拠しない従来型の再生装置または記録装置は、混乱をきたさない。
【００２６】
図４ｂは、コンテンツ保護情報２２がデータ領域７内に記憶された実施形態を示している。このコンテンツ保護情報２２は、内側ドライブ領域３内（具体的には開始領域２５内）の、キーブロック２４の記憶位置への参照子（特にポインタ）を含んでいる。内側ドライブ領域３内に記憶された情報には、データ領域７の副チャネル中に記憶された情報にアクセスするよりも速くアクセスすることができる。このことは、より速い起動時間をもたらす。
【００２７】
図４ｃは、図４ａおよび４ｂに示された実施形態の利点を併せ持つ、好ましい実施形態を示している。コンテンツ保護情報２０は、キーブロック２６と、そのキーブロック２６のコピー２４への参照子２８（特にポインタ）とを含んでいる。キーブロック２６のコピー２４は、内側ドライブ領域３の開始領域２５内に記憶されている。この実施形態は、キーブロック２６とバックアップコピー２４とを有するので、図４ａおよび４ｂの実施形態と比較して、より高いロバスト性を有する。これらのうちの１つが読み取れない場合でも、コンテンツ保護システムのための情報を供給するものがまだ１つ残ることとなる。
【００２８】
図４ｄは、リードイン領域５（特に「バッファ領域２」と呼ばれる領域）内に記憶された、キーブロック２６の追加コピー３０を有する、別の好ましい実施形態を示している。コンテンツ保護情報２０、２４、２６、２８には、一般的な再生装置はアクセス不能である。追加の装備を必要とせずにこれらの再生装置にコンテンツ保護情報を提供するために、コピー３０がアクセス可能な領域に記憶されている。
【００２９】
図５は、コンテンツ保護装置４０、および保護コンテンツ読出装置４２を示したブロック図である。コンテンツ保護装置４０は、コンテンツ保護情報を記録担体４６から読み取る手段４４、そのコンテンツ保護情報を用いて、コンテンツ源５０から供給されたコンテンツを暗号化または保護する手段４８、およびその暗号化または保護されたコンテンツを記録担体４６上に書き込む手段５２を含んでいる。保護コンテンツ読出装置４２は、上記の保護コンテンツを記録担体４６から読み出す手段５４、コンテンツ保護情報を記録担体４６から読み取る手段５６、および、コンテンツ保護情報を用いて保護されたコンテンツを解読し、保護されていない状態のコンテンツすなわち解読されたコンテンツを受信器６０へと出力する手段５８を含んでいる。
【００３０】
上記で説明した本発明に従う方法、記録担体、装置およびシステムは、以下のような複数の利点を有している。
−  上記のようなコピー防止システムと互換性を有さない従来型の記録担体も、依然としてその媒体を利用することができるため、消費者には、あらゆるアプリケーション用に１種類のみの媒体を販売すればよい。
−  従来型の記録装置内で媒体を使用した後においても、コピー防止システムと互換性を有する装置でキーブロックを読み取ることが可能なままとなるように、キーブロックの記憶方法が構成されている。
−  単純なファームウェアの更新により、従来型の記録装置／再生装置を変更して、開示した方法を用いて記憶されたキーブロックの読取りを可能とすることができる。
−  開示したキーブロックの記憶方法は、媒体の製造過程において、追加のコストアップを最小限しか生じさせない、または全く生じさせないものである。
【００３１】
本発明は、以下のように要約することができる。本発明は、キーブロックに基づくコピー防止システムで用いるため、空の記録可能型媒体を通じてキーブロックを頒布する方法、かかるキーブロックを含む記録担体、そのような記録担体の読出しを行う装置、およびそのようなＫＢを採用するコピー防止システムにも関するものである。このキーブロックを記録担体上に記憶するための、本発明に係る方法の種々の実施形態を上記で提示した。それらの実施形態には、たとえば、記録担体上の安全な場所に記憶されたポインタの導入に関連する形態が含まれる。このポインタは、ＫＢの開始位置を示すポインタ、または記録担体のリードイン領域内に存在する別の領域にある、キーブロックのコピーを指すポインタである。
【００３２】
ここで、本願でいうコンテンツ保護情報は、キーブロックのようなコンテンツ保護システム用の情報のみならず、キーブロックが記憶されている記憶位置への参照子（特にポインタ）のような情報をも包含するものである点に留意されたい。さらに、「キーブロック」との用語は、実際のキーブロックのみに関する用語と解釈されるべきではなく、コンテンツ保護情報一般にも関する用語と解釈されるべきである。
【図面の簡単な説明】
【００３３】
【図１】典型的なＤＶＤ＋ＲまたはＤＶＤ＋ＲＷ型記録担体のレイアウトを示した模式図
【図２】ＤＶＤ＋Ｒ型記録担体のレイアウトを示した表
【図３】ＤＶＤ＋ＲＷ型記録担体のレイアウトを示した表
【図４ａ】本発明に従う記録担体の１つの好ましい実施形態を示した図
【図４ｂ】本発明に従う記録担体の１つの好ましい実施形態を示した図
【図４ｃ】本発明に従う記録担体の１つの好ましい実施形態を示した図
【図４ｄ】本発明に従う記録担体の１つの好ましい実施形態を示した図
【図５】コンテンツ保護装置および読出装置のブロック図
【図１】
2007513452.tif 000003
【図２】
2007513452.tif 000004
【図３】
2007513452.tif 000005
【図４ａ】
2007513452.tif 000006
【図４ｂ】
2007513452.tif 000007
【図４ｃ】
2007513452.tif 000008
【図４ｄ】
2007513452.tif 000009
【図５】
2007513452.tif 000010
【国際調査報告】
2007513452.tif 000011
2007513452.tif 000012
2007513452.tif 000013
2007513452.tif 000014